(57)【要約】【課題】専有面積の小型化が図られた画像読取装置を提供する。【解決手段】画像読取装置は、原稿載置台２２、自動原稿処理装置（原稿押え部）２４、及び原稿ガイド部材２３を有する。原稿載置台２２は１枚の矩形のガラス板から成り、板面に固定原稿読取領域２２Ａと搬送原稿読取領域２２Ｂとが形成される。ここで、固定原稿読取領域２２Ａは原稿載置台２２の全域に設定され、搬送原稿読取領域２２Ｂは原稿載置台２２の一端部に設定される。原稿押え部２４は、原稿載置台２２の上方に開閉可能に配設され、原稿載置台２２の固定原稿読取領域２２Ａ上に載置された原稿を押えるように構成される。原稿ガイド部材２３は、原稿載置台２２の一端部側方に原稿押え部２４の開閉動作に基づいて上下に移動可能に設けられ、原稿搬送読取モードにて搬送される原稿Ｄ１を掬い上げる。【選択図】図６
2013223024.tif 000002
【特許請求の範囲】
【請求項１】
１枚の矩形のガラス板から成り、前記ガラス板の面に固定原稿読取領域と搬送原稿読取領域とが形成された原稿載置台と、
前記原稿載置台の上方に開閉可能に配設され、前記原稿載置台の前記固定原稿読取領域上に載置された原稿を押えるように構成された原稿押え部と、
を有し、
前記原稿載置台の前記固定原稿読取領域上に載置された原稿の画像を読み取る原稿固定読取モード、及び前記原稿載置台の前記搬送原稿読取領域上を搬送される原稿の画像を読み取る原稿搬送読取モードで読取動作を実行する画像読取装置であって、
前記固定原稿読取領域は前記原稿載置台の全域に設定され、前記搬送原稿読取領域は前記原稿載置台の一端部に設定され、
前記原稿載置台の一端部側方に前記原稿押え部の開閉動作に基づいて上下移動可能に設けられ、前記原稿搬送読取モードにて前記原稿載置台の前記搬送原稿読取領域上を搬送される前記原稿を掬い上げる原稿ガイド部材を有する画像読取装置。
【請求項２】
前記原稿ガイド部材は、前記原稿載置台の一端辺に近接又は接触して配置される、請求項１に記載の画像読取装置。
【請求項３】
前記原稿ガイド部材は、前記原稿載置台の前記搬送原稿読取領域上を搬送される前記原稿を掬い上げる傾斜面と、前記原稿載置台の前記固定原稿読取領域上に載置された前記原稿の先端位置を規制する規制面と、を備え、
前記原稿ガイド部材は、前記原稿押え部が開かれたとき、前記原稿載置台の上面よりも上側に前記規制面が突出するように上昇し、前記原稿押え部が閉じられたとき、前記原稿載置台の上面よりも下側に前記規制面が埋没するように前記原稿ガイド部材は下降する、
ことを特徴とする請求項１または２に記載の画像読取装置。
【請求項４】
前記原稿ガイド部材は、付勢部材により上方に付勢されており、前記原稿押え部が閉じられたとき、前記原稿押え部が前記原稿ガイド部材に当接して前記原稿ガイド部材を前記付勢部材による付勢に抗して下降させる、請求項１〜３のいずれかに記載の画像読取装置。
【請求項５】
前記原稿押え部は、
前記原稿搬送読取モード時に画像読取前の原稿が載置される原稿載置トレイと、
前記原稿載置トレイの上方に配され、前記原稿搬送読取モード時に画像読取後の原稿が排出される原稿排出トレイと、
前記原稿載置台の前記搬送原稿読取領域から前記原稿排出トレイへ至る湾曲搬送路と、
を備える、請求項１〜４のいずれかに記載の画像読取装置。
【請求項６】
前記原稿載置台の下方に、前記原稿固定読取モード時及び前記原稿搬送読取モード時に原稿の第１面の画像を読み取る第１読取部を備える、請求項１〜５のいずれかに記載の画像読取装置。
【請求項７】
前記原稿載置台の前記搬送原稿読取領域に対して平行に対向配置された読取板と、
前記読取板を挟んで前記第１読取部の反対側に配置され、前記原稿搬送読取モード時に原稿の第２面の画像を読み取る第２読取部と、をさらに備える、請求項６に記載の画像読取装置。
【請求項８】
請求項１〜７のいずれかに記載の画像読取装置を備える画像形成装置。
【発明の詳細な説明】
【技術分野】
【０００１】
この発明は、原稿を搬送しながら原稿の画像を読み取る原稿搬送読取モードを備える画像読取装置及び画像形成装置に関する。
【背景技術】
【０００２】
特許文献１では、第１原稿載置台に載置された原稿の画像を読み取る原稿固定読取モード、及び原稿載置トレイに載置された原稿を１枚ずつ搬送しながら第２原稿載置台上において原稿の画像を読み取る原稿搬送読取モードを備えた画像読取装置が開示されている。第１、第２の原稿載置台はそれぞれ独立したガラス板で構成される。
【０００３】
一方、特許文献２では、１枚のガラス板から成る原稿載置台の板面が、原稿固定読取モードに対応した固定原稿読取領域と、原稿搬送読取モードに対応した搬送原稿読取領域との２つの領域に分けられており、１枚のガラス板で原稿固定読取モードと原稿搬送読取モードとの２つのモードに対応することが記載されている。
【先行技術文献】
【特許文献】
【０００４】
【特許文献１】特開２００２−１７１３８５号公報
【特許文献２】特開平１１−１３６４３７号公報
【発明の概要】
【発明が解決しようとする課題】
【０００５】
しかし、上記特許文献１では、ガラス板が２枚必要なので、部品点数が増加しコストアップになる。原稿固定読取モードと原稿搬送読取モードのそれぞれに対応したガラス板を確保する必要があるため、画像読取装置の専有面積が大きくなる課題がある。
【０００６】
また、上記特許文献２では、原稿載置台を構成するのはガラス板１枚で良いが、固定原稿読取領域と搬送原稿読取領域とが平面的に見て別々の領域であるため広いガラス板が必要となり、材料コストが高い。また、原稿固定読取モードと原稿搬送読取モードのそれぞれに対応した読取領域を確保する必要があるため、上記特許文献１と同様に画像読取装置の占有面積が大きくなる課題がある。
【０００７】
本発明は、上記課題に鑑みてなされたものであり、１枚のガラス板から成る原稿載置台の板面全域に設定される固定原稿読取領域内に搬送原稿読取領域を配置することが可能であり、これによってコストダウン及び専有面積の小型化が図られた画像読取装置および画像形成装置を提供することを目的とする。
【課題を解決するための手段】
【０００８】
この発明の画像読取装置は、固定された原稿の画像を読み取る原稿固定読取モード、及び原稿を搬送しながら原稿の画像を読み取る原稿搬送読取モードで読取動作を実行する。画像読取装置は、原稿載置台、原稿押え部、及び原稿ガイド部材を有する。原稿載置台は１枚の矩形のガラス板から成り、前記ガラス板の面に固定原稿読取領域と搬送原稿読取領域とが形成される。ここで、固定原稿読取領域は原稿載置台の全域に設定され、搬送原稿読取領域は原稿載置台の一端部に設定される。原稿読取モードでは、原稿載置台の固定原稿読取領域上に載置された原稿の画像が読み取られる。原稿搬送読取モードでは、原稿載置台の搬送原稿読取領域上を搬送される原稿の画像が読み取られる。原稿押え部は、原稿載置台の上方に開閉可能に配設され、原稿載置台の固定原稿読取領域上に載置された原稿を押えるように構成される。原稿ガイド部材は、原稿載置台の一端部側方に原稿押え部の開閉動作に基づいて上下に移動可能に設けられ、原稿搬送読取モードにて搬送される原稿を掬い上げるものである。
【０００９】
原稿ガイド部材は原稿載置台の一端辺に近接又は接触して配置することが望ましい。この配置によると、原稿ガイド部材が固定原稿読取モードにおける原稿の位置を規制する規制部材を兼ねることが可能となる。このような原稿ガイド部材は傾斜面及び規制面を備えた構成である。傾斜面は原稿載置台の搬送原稿読取領域上を搬送される原稿を掬い上げる面であり、規制面は原稿載置台の固定原稿読取領域上に載置された原稿の先端位置を規制する面である。
【００１０】
原稿ガイド部材は、原稿押え部が開かれたとき、原稿載置台の上面よりも上側に規制面が突出するように上昇し、原稿押え部が閉じられたとき、原稿載置台の上面よりも下側に規制面が埋没するように原稿ガイド部材は下降する。具体的には、原稿ガイド部材は、付勢部材により上方に付勢されており、原稿押え部が開かれたときは、原稿ガイド部材は付勢部材による付勢によって上昇し、原稿押え部が閉じられたときは、原稿ガイド部材は、原稿押え部により押さえ付けられて付勢部材による付勢に抗して下降する。
【００１１】
また、原稿押え部は、原稿搬送読取モードで原稿載置トレイに載置された原稿を自動で原稿載置台の搬送原稿読取領域へと搬送して原稿排出トレイへと排出する自動原稿処理装置を備えても良い。自動原稿処理装置は原稿排出トレイが原稿載置トレイの上方に配置されるコンパクト設計が採用される。この場合、搬送原稿読取領域と原稿排出トレイとの間に湾曲搬送路が形成される。この構成では、原稿搬送読取モードで搬送される原稿は、原稿ガイド部材によって原稿載置台の搬送原稿読取領域から湾曲搬送路へと掬い上げられることになる。
【００１２】
原稿載置台の下方に、原稿固定読取モード時及び原稿搬送読取モード時に原稿の第１面の画像を読み取る第１読取部を備えるように構成することができる。これによると、原稿固定読取モード時と原稿搬送読取モード時とで第１読取部を共通使用することが可能となる。
【００１３】
原稿載置台の搬送原稿読取領域に対して平行に対向配置された読取板と、読取板を挟んで第１読取部の反対側に配置され、原稿搬送読取モード時に原稿の第２面の画像を読み取る第２読取部と、をさらに備えるように構成することができる。第１読取部に加えて第２読取部を備えることで、原稿の第１面と第２面との両面を同時に読み取ることが可能になる。
【００１４】
この発明の画像形成装置は、上述のいずれかの構成の画像読取装置を備える。
【発明の効果】
【００１５】
この発明によれば、１枚のガラス板から成る原稿載置台の板面全域に設定される固定原稿読取領域内に搬送原稿読取領域を配置することが可能であり、これによって画像読取装置および画像形成装置のコストダウン及び専有面積の小型化が図られる。
【図面の簡単な説明】
【００１６】
【図１】この発明の実施形態に係る画像形成装置の概略の構成を示す断面図である。
【図２】原稿読取部の概略構成を示す断面図である。
【図３】図２における要部拡大図であり、図３（Ａ）は自動原稿処理装置が閉じられた状態、図３（Ｂ）は自動原稿処理装置が開かれた状態をそれぞれ示している。
【図４】原稿ガイド部材の筐体天板への装着状態を説明する概略斜視図である。
【図５】原稿ガイド部材の動作を説明する、筐体天板の概略斜視図であり、図５（Ａ）は自動原稿処理装置が閉じられた状態、図５（Ｂ）は自動原稿処理装置が開かれた状態をそれぞれ示している。
【図６】原稿が移動部材の動作を説明する、原稿ガイド部材周辺の原稿読取部の概略断面図であり、図６（Ａ）は自動原稿処理装置が閉じられた状態、図６（Ｂ）は自動原稿処理装置が開かれた状態をそれぞれ示している。
【図７】原稿載置台に形成された固定原稿読取領域と搬送原稿読取領域を説明する平面図である。
【発明を実施するための形態】
【００１７】
以下に、この発明を実施するための形態について、図面に基づいて説明する。
【００１８】
図１に示すように、画像形成装置１００は、原稿読取部（画像読取装置）２０及び画像形成部１０を備えている。画像形成装置１００は、外部から伝達された画像データ又は原稿読取部２０が生成した画像データに基づいて、画像形成部１０によりシート（記録媒体）に対して多色又は単色の画像を形成する。
【００１９】
原稿読取部２０は、原稿載置台２２に載置された原稿の画像を読み取る原稿固定読取モード、及び原稿載置トレイ２６から原稿を１枚ずつ搬送しながら原稿の画像を読み取る原稿搬送読取モードで読取動作を実行する。
【００２０】
原稿読取部２０は、原稿搬送読取モードにおいて、搬送される原稿の両面の画像を同時に読み取ることが可能に構成されている。原稿読取部２０は、１枚の透明ガラス板から成る原稿載置台２２を備えている。原稿載置台２２には、手置きの原稿が載置される。原稿載置台２２の上側には、自動原稿処理装置２４が取り付けられている。自動原稿処理装置２４は、原稿載置トレイ２６上の原稿を、原稿搬送路３６を介して排出するための原稿排出トレイ２８へ、順次的に搬送するように構成されている。
【００２１】
原稿読取部２０のコンパクト設計のため、原稿載置トレイ２６は、原稿載置台２２の上方に配置され、原稿載置トレイ２６の上方に原稿排出トレイ２８が配置されている。
【００２２】
原稿搬送路３６の両側には、搬送される原稿の第１面の画像又は原稿載置台２２上の原稿の画像を読み取るように構成された第１読取部３２、及び搬送される原稿の第２面の画像を読み取るように構成された第２読取部３４が設けられる。ここでは、第１読取部３２及び第２読取部３４はＣＣＤを含む縮小光学系からなる構成を採用しているが、ＣＩＳを採用したものであっても良い。なお、原稿読取部２０の構成の詳細については後述する。
【００２３】
原稿読取部２０の下方には画像形成部１０が配置される。画像形成部１０は、光走査装置２１０、現像器１０２、感光体ドラム１０３、クリーナユニット１０４、帯電器１０５、中間転写ベルトユニット１０６、定着ユニット１０７、給紙カセット１８１、排紙部１９１を備えている。このような画像形成部１０の構成については周知であるため、詳しい説明を省略する。
【００２４】
続いて、図２〜図７を用いて、原稿読取部２０の構成を説明する。
【００２５】
図２に示すように、原稿載置台２２は、水平面に形成された画像形成装置１００の筐体天板１０１に水平方向に支持されている。筐体天板１０１は中央部に開口窓が形成され、この開口窓に原稿載置台２２が配置されることにより、原稿載置台２２の下方に配置される第１読取部３２によって原稿載置台２２上の原稿の画像を読み取れるようになっている。
【００２６】
図７に示すように、原稿載置台２２は、１枚の矩形のガラス板から成り、その板面が固定原稿読取領域２２Ａと搬送原稿読取領域２２Ｂとに区画されている。固定原稿読取領域２２Ａは原稿載置台２２の全域に設定され、搬送原稿読取領域２２Ｂは原稿載置台２２の一端部（図７では左端部。）に設定される。すなわち、搬送原稿読取領域２２Ｂは、固定原稿読取領域２２Ａと一部重なっている。
【００２７】
したがって、原稿載置台２２の別々の領域に固定原稿読取領域２２Ａと搬送原稿読取領域２２Ｂとが形成される場合や、固定原稿読取用のガラス板と搬送原稿読取用のガラス板とが異なるガラス板で独立して構成される場合に比べて原稿読取部２０の専有面積を小型化することが可能となる。
【００２８】
図３（Ａ）に示すように、自動原稿処理装置２４の底面部であって、原稿載置台２２の搬送原稿読取領域２２Ｂに対向する箇所には読取板４２が配設されている。読取板４２と原稿載置台２２との間には、搬送される原稿が通過できる間隙が設定される。読取板４２は、ガラス等の透明な板状部材によって構成され、読取板４２を介して第２読取部３４により搬送される原稿の第２面を読み取ることが可能となっている。読取板４２は、自動原稿処理装置２４の開動作に伴って移動し、固定原稿読取領域２２Ａの一部でもある原稿載置台２２の搬送原稿読取領域２２Ｂが露出される。
【００２９】
自動原稿処理装置２４は本発明の原稿押え部を兼ね、図２における紙面の奥側で図示しないヒンジ機構により開閉自在に支持されている。自動原稿処理装置２４は開かれた状態で原稿載置台２２を露出させ、固定読取モードで読み取るための原稿を原稿載置台２２上に載置することが可能となっている。
【００３０】
また、自動原稿処理装置２４は閉じられた状態でその底面部が原稿載置台２２に近接し、原稿固定読取モードで読み取るための原稿を押えることが可能となっている。さらに、自動原稿処理装置２４が閉じられた状態では、原稿載置トレイ２６に原稿搬送読取モードで読み取るための原稿を載置することが可能となっている。
【００３１】
原稿搬送路３６は、直線状搬送路３６１、及び湾曲搬送路３６２を含んでいる。直線状搬送路３６１は、原稿載置トレイ２６から下り傾斜しながら原稿載置台２２の搬送原稿読取領域２２Ｂ上へ至る。直線状搬送路３６１には、搬送方向９１において上流側から、搬送ローラ５０，５２，５４が配置されている。
【００３２】
湾曲搬送路３６２は、横Ｕ字状を呈し、原稿載置台２２の搬送原稿読取領域２２Ｂから原稿排出トレイ２８へ至る。湾曲搬送路３６２には、搬送方向９２において上流側から、搬送ローラ５６，５８，６０が配置されている。
【００３３】
図３に示すように、筐体天板１０１の原稿載置台２２の搬送原稿読取領域２２Ｂが形成された一端部側方（同図では左方。）であって、原稿載置台２２の一端辺に近接又は接触して原稿ガイド部材２３が配置される。図４に示すように、原稿ガイド部材２３は、一例として原稿幅方向に細長い略直方体状の外形を呈する。筐体天板１０１には、原稿載置台２２の一辺に接するように、原稿幅方向に細長い矩形の凹部１０１１が設けられている。原稿ガイド部材２３は凹部１０１１に嵌合され、凹部１０１１の側壁をガイドとして上下移動可能とされている。
【００３４】
原稿ガイド部材２３は、その長手方向に沿って下面に開放された筒状の穴２３３を複数有する（図４では一例として穴２３３の数が３つの場合を示している。）。原稿ガイド部材２３の下面と凹部１０１１の底面との間には、本発明の付勢部材の一例である複数の圧縮コイルバネ２５が配置され（図４では一例として圧縮コイルバネ２５の数が３つの場合を示している。）、原稿ガイド部材２３は常時上方へ付勢されるようになっている。各圧縮コイルバネ２５は原稿ガイド部材２３の穴２３３に挿入されることで、凹部１０１１内において位置決めがなされている。
【００３５】
図５、図６に示すように、略直方体形状に形成された原稿ガイド部材２３は、上面が搬送方向の上流側（同図では右側。）が低く、下流側（同図では左側。）が高くなるように短手方向に傾斜する傾斜面２３１に設定され、長手方向を構成する一対の垂直な側面のうち原稿載置台２２の一辺に近接または接触する側（同図では右側面。）が規制面２３２に設定される。
【００３６】
図５に示すように、筐体天板１０１には、原稿載置台２２の原稿ガイド部材２３が配置される側の辺に直交する一辺（同図では上辺。）に近接又は接触して原稿規制部材２９が凸設される。原稿規制部材２９は、一例として直方体状を呈し、原稿固定読取モードにおいて、原稿載置台２２の固定原稿読取領域２２Ａ上に載置される原稿の縦位置を規制する部材である。
【００３７】
図３に示すように、自動原稿処理装置２４の底面であって、原稿ガイド部材２３に対向する箇所は、湾曲搬送路３６２の搬送方向上流端部に位置している。湾曲搬送路３６２は対向して配置される搬送ガイド対の間に構成されるが、図示のごとく、湾曲搬送路３６２の搬送方向上流端部は搬送ガイド対３６２１，３６２２が上下で対向する配置となる。そこで、上下の搬送ガイド対３６２１，３６２２の搬送方向上流端の位置を揃えるのではなく、図示のごとく、下側の搬送ガイド３６２２の先端を上側の搬送ガイド３６２１よりも搬送方向下流側へ退避させることにより空いたスペースを利用して原稿ガイド部材２３を省スペースに設置することが可能となる。これにより、原稿ガイド部材２３を設置したことによる原稿読取部２０の占有スペースの増大を防止出来る。
【００３８】
図３、図５に示すように、下側の搬送ガイド３６２２の先端よりも搬送方向上流側へ張り出した上側の搬送ガイドの先端部３６２１の下面には、原稿幅方向において原稿の搬送に邪魔にならない両端部に、一対の押え部材２７が凸設される。押え部材２７は、自動原稿処理装置２４が閉じられたとき、原稿ガイド部材２３の傾斜面２３１に当接し、原稿ガイド部材２３を圧縮コイルバネ２５による付勢に抗して下降させる。
【００３９】
自動原稿処理装置２４が開かれたときは、原稿ガイド部材２３は押えるものがなくなり、圧縮コイルバネ２５による付勢によって規制面２３２が原稿載置台２２の上面より２．０〜２．５ｍｍ程度突出する。これにより、図５（Ｂ）、図６（Ｂ）に示すように、原稿固定読取モードにおいて、原稿ガイド部材２３の規制面２３２によって原稿載置台２２の固定原稿読取領域２２Ａ上に載置される原稿Ｄ２の横位置を規制することが可能である。
【００４０】
このように自動原稿処理装置２４が開かれた状態で、原稿ガイド部材２３の規制面２３２と前記原稿規制部材２９とによって、原稿載置台２２の一隅（図５（Ｂ）では左上隅。）を基準として原稿サイズに応じた規定の位置に原稿をセットすることが可能となる。
【００４１】
一方、自動原稿処理装置２４が閉じられたときは、原稿ガイド部材２３は押え部材２７により押さえ付けられて凹部１０１１内を下降し、規制面２３２が原稿載置台２２の上面よりも下方に埋没する。つまり、原稿載置台２２の一辺に近接又は接触する、傾斜面２３１の最低部である搬送方向上流側のエッジが原稿載置台２２の上面よりも若干沈むことになる。なお、この位置においても、原稿ガイド部材２３の傾斜面２３１の最高部である搬送方向下流側エッジは、湾曲搬送路３６２の下側の搬送ガイド３６２２の先端よりもより若干上方に位置している。したがって、図５（Ａ）、図６（Ａ）に示すように、原稿搬送読取モードにおいて原稿載置台２２の搬送原稿読取領域２２Ｂ上を搬送される原稿Ｄ１を、原稿ガイド部材２３の傾斜面２３１によって掬い上げ、湾曲搬送路３６２にスムーズに送り込むことが可能となる。
【００４２】
原稿載置トレイ２６上に載置された原稿は、自動原稿処理装置２４が駆動されることにより、直線状搬送路３６１を搬送され、原稿載置台２２の搬送原稿読取領域２２Ｂ上を経由して、湾曲搬送路３６２を搬送されて原稿排出トレイ２８上に排出される。このように搬送される原稿は、搬送原稿読取領域２２Ｂにおいて第１面の画像が第１読取部３２により読み取られるとともに、第２面の画像が第２読取部３４により読み取られる。
【００４３】
第１読取部３２は、原稿固定読取モードと原稿搬送読取モードとで共用される。原稿固定読取モードにおいては、原稿は、原稿載置台２２の固定原稿読取領域２２Ａ上に配置される。第１読取部３２は、原稿固定読取モードにおける画像読取時には、原稿載置台２２に対して平行に移動しながら、原稿載置台２２に対して垂直な光軸の原稿の第１面における反射光を受ける。
【００４４】
また、第１読取部３２は、原稿搬送読取モードにおける画像読取時には、原稿載置台２２の搬送原稿読取領域２２Ｂの下方で静止した状態で、原稿載置台２２に対して垂直な光軸の原稿の第１面における反射光を受ける。
【００４５】
第２読取部３４は、読取板４２を挟んで第１読取部３２の反対側に配置され、原稿搬送読取モードにおいて原稿の第２面の画像を読み取る。第２読取部３４は、読取板４２に対して垂直な光軸の第２面における反射光を受ける。
【００４６】
原稿搬送読取モード時に、原稿は、表面が上向きとなり、裏面が下向きとなるように、原稿載置トレイ２６に載置されることが好ましい。この場合、原稿の表面は第２読取部３４によって読み取られ、裏面は第１読取部３２によって読み取られる。
【００４７】
第１読取部３２に加えて第２読取部３４を備えることで、原稿の第１面と第２面との両面を同時に読み取ることが可能である。
【００４８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４９】
１０…画像形成部
２０…原稿読取部（画像読取装置）
２２…原稿載置台
２２Ａ…固定原稿読取領域
２２Ｂ…搬送原稿読取領域
２３…原稿ガイド部材
２３１…傾斜面
２３２…規制面
２４…自動原稿処理装置
２５…圧縮コイルバネ
２６…原稿載置トレイ
２７…押え部材
２８…原稿排出トレイ
２９…原稿規制部材
３２…第１読取部
３４…第２読取部
３６…原稿搬送路
３６１…直線状搬送路
３６２…湾曲搬送路
４２…読取板
１００…画像形成装置
１０１…筐体天板
【図１】
2013223024.tif 000003
【図２】
2013223024.tif 000004
【図３】
2013223024.tif 000005
【図６】
2013223024.tif 000006
【図７】
2013223024.tif 000007
【図４】
2013223024.tif 000008
【図５】
2013223024.tif 000009